(57)【要約】【課題】熱膨張による破損を防ぐと共に、容易に設置できるフェンスを提供する。【解決手段】フェンス１０は、長さ方向に沿って側面に第一溝２４ａが形成された棒状または板状の第一縦枠２４と、長さ方向に沿って側面に第二溝２６ａが形成された棒状または板状の第二縦枠２６と、第一端面と第二端面とを備える横板４０、横板４０の第一端面に設けられた棒状または板状の第一端体４２、および横板の第二端面に設けられた棒状または板状の第二端体４４を備えるパネル体２８と、を有する。第一溝２４ａは、その長さ方向に沿って第一突起を備え、第二溝２６ａは、その長さ方向に沿って第二突起を備え、第一端体４２は、第一突起より内側で第一溝２４ａに嵌め込まれており、第二端体４４は、第二突起より内側で第二溝２６ａに嵌め込まれている。【選択図】図１
0003178079.tif 000002
【実用新案登録請求の範囲】
【請求項１】
長さ方向に沿って側面に第一溝が形成された棒状または板状の第一縦枠と、
長さ方向に沿って側面に第二溝が形成された棒状または板状の第二縦枠と、
第一端面と第二端面とを備える横板、前記横板の第一端面に設けられた棒状または板状の第一端体、および前記横板の前記第二端面に設けられた棒状または板状の第二端体を備えるパネル体と、
を有するフェンスであって、
前記第一溝は、その長さ方向に沿って第一突起を備え、
前記第二溝は、その長さ方向に沿って第二突起を備え、
前記第一端体は、前記第一突起より内側で前記第一溝に嵌め込まれており、
前記第二端体は、前記第二突起より内側で前記第二溝に嵌め込まれているフェンス。
【請求項２】
請求項１において、
前記第一端体および前記第二端体は、前記横板から鉛直方向に突出しているフェンス。
【請求項３】
請求項１または２において、
前記横板は、前記第一端体および前記第二端体の長さ方向に対して傾いているフェンス。
【請求項４】
請求項２において、
前記第一端体および前記第二端体は、前記横板から鉛直下方に突出しており、
前記横板の底面には天溝が形成されており、
前記横板の下方に、前記第一端体および前記第二端体に挟まれた棒状または板状の底枠をさらに有し、
前記底枠の上面には、底突起または底溝が設けられており、
上部が前記天溝に嵌め込まれ、下部が前記底突起または前記底溝に嵌め込まれた板戸を、前記第一端体と前記第二端体の間にさらに有し、
前記天溝は、前記板戸を持ち上げたときに、前記板戸が前記底突起または底溝から解放される深さを備えるフェンス。
【考案の詳細な説明】
【技術分野】
【０００１】
本考案は、熱膨張による破損を防ぐと共に、容易に設置できるフェンスに関するものである。
【背景技術】
【０００２】
庭やウッドデッキ等の外周に設置するフェンスには、支柱と横板とを組み合わせて構成されるものがある。このフェンスは、例えば、複数の支柱の下部を所定の間隔で地中やデッキフロア上に固定した後、隣り合った支柱間に、複数の横板を上下方向に並べてネジ等を用いて固定することによって設置する。このとき、上下に一定の間隔を開けて横板を固定すれば、この横板の隙間から、光や風を採り込める。
【０００３】
しかしながら、複数の横板を等間隔に固定するには、時間や労力を要する。また、支柱間にネジ等を用いて横板を固定した場合、横板の熱膨張によって、支柱や横板に無理な力が加わって、フェンスが破損するおそれがある。
【考案の概要】
【考案が解決しようとする課題】
【０００４】
本考案はこのような事情に鑑みてなされたものであり、熱膨張による破損を防ぐと共に、容易に設置できるフェンスを提供することを目的とする。
【課題を解決するための手段】
【０００５】
本考案のフェンスは、長さ方向に沿って側面に第一溝が形成された棒状または板状の第一縦枠と、長さ方向に沿って側面に第二溝が形成された棒状または板状の第二縦枠と、第一端面と第二端面とを備える横板、横板の第一端面に設けられた棒状または板状の第一端体、および横板の第二端面に設けられた棒状または板状の第二端体を備えるパネル体と、を有するフェンスであって、第一溝は、その長さ方向に沿って第一突起を備え、第二溝は、その長さ方向に沿って第二突起を備え、第一端体は、第一突起より内側で第一溝に嵌め込まれており、第二端体は、第二突起より内側で第二溝に嵌め込まれている。
【０００６】
本考案のフェンスにおいて、第一端体および第二端体は、横板から鉛直方向に突出していてもよい。本考案のフェンスにおいて、横板は、第一端体および第二端体の長さ方向に対して傾いていてもよい。
【０００７】
本考案のフェンスにおいて、第一端体および第二端体は、横板から鉛直下方に突出しており、横板の底面には天溝が形成されており、横板の下方に、第一端体および第二端体に挟まれた棒状または板状の底枠をさらに有し、底枠の上面には、底突起または底溝が設けられており、上部が天溝に嵌め込まれ、下部が底突起または底溝に嵌め込まれた板戸を、第一端体と第二端体の間にさらに有し、天溝は、板戸を持ち上げたときに、板戸が底突起または底溝から解放される深さを備えていてもよい。
【考案の効果】
【０００８】
本考案によれば、熱膨張による破損を防ぐと共に、容易に設置できるフェンスが得られる。
【図面の簡単な説明】
【０００９】
【図１】本考案の第一の実施形態に係るフェンスの正面図である。
【図２】図１のフェンスのＡ−Ａ線断面模式図である。
【図３】本考案の第一の実施形態に係るパネル体を示し、（ａ）は正面図、（ｂ）は上面図である。
【図４】本考案の第二の実施形態に係るパネル体を示し、（ａ）は正面図、（ｂ）は（ａ）におけるＢ−Ｂ線断面模式図である。
【図５】本考案の他の実施形態に係る第一縦枠または第二縦枠を示し、（ａ）はパネル体の方向を変えて連結するために用いる縦枠の上面図、（ｂ）はパネル体を同じ方向で連結するために用いる縦枠の上面図である。
【図６】本考案の他の実施形態に係るフェンスの一部を示し、（ａ）は正面図、（ｂ）は（ａ）におけるＣ−Ｃ線断面模式図である。
【考案を実施するための形態】
【００１０】
以下、本考案のフェンスについて、図面を参照しながら各実施形態に基づいて説明する。なお、図面は、フェンス、フェンスを構成する部材、およびフェンス周辺の部材を模式的に表したものであり、これらの実物の寸法および寸法比は、図面上の寸法および寸法比と必ずしも一致していない。また、重複説明は適宜省略し、同一部材には同一符号を付与することがある。
【００１１】
（第一の実施形態）
図１は、本考案の第一の実施形態に係るフェンス１０の正面図である。図２は、図１のフェンス１０をＡ−Ａ線で切断したときの拡大断面模式図である。本実施形態では、フェンス１０はウッドデッキＷの構成部材であり、ウッドデッキＷは、フェンス１０と、床板１２と、根太１４と、束１６とを備える。フェンス１０は、支柱１８，２０と、桁２２と、第一縦枠２４と、第二縦枠２６と、パネル体２８と、底枠３０とを備える。支柱１８，２０および桁２２は、底面が正方形である四角柱形状を有し、木または樹脂等からなる。
【００１２】
棒状または板状の部材である第一縦枠２４は、本実施形態では、底面が正方形である四角柱に溝を設けた形状を有し、金属、木、または樹脂等からなる。第一縦枠２４には、長さ方向に沿って第一溝２４ａが側面に形成されている。第一溝２４ａは、第一縦枠２４の下端より数ｃｍほど上方の位置から第一縦枠２４の上端に渡っている。このため、詳細は後述するが、最初のパネル体２８を第一縦枠２４の上端から嵌め込み下方に移動させると、第一縦枠２４の下端より数ｃｍ上方の位置で停止する。
【００１３】
第二縦枠２６は、第一縦枠２４と同様である。すなわち、棒状または板状の部材である第二縦枠２６は、本実施形態では、底面が正方形である四角柱に溝を設けた形状を有し、金属、木、または樹脂等からなる。第二縦枠２６には、長さ方向に沿って第二溝２６ａが側面に形成されている。第二溝２６ａは、第二縦枠２６の下端より数ｃｍほど上方の位置から第二縦枠２６の上端に渡っている。
【００１４】
このため、最初のパネル体２８を第二縦枠２６の上端から嵌め込み下方に移動させると、第二縦枠２６の下端より数ｃｍ上方の位置で停止する。第一溝２４ａおよび第二溝２６ａは、第一縦枠２４および第二縦枠２６の下端から上端に渡っていても、すなわち第一溝２４ａおよび第二溝２６ａのそれぞれの両端が開いていてもよい。この場合には、第一縦枠２４と第二縦枠２６の間であって、その両端が第一溝２４ａおよび第二溝２６ａの内部で固定された底枠によって、最初のパネル体２８が支持される。
【００１５】
図３はパネル体２８の外観を示し、（ａ）はパネル体２８の正面図で、（ｂ）はパネル体２８の上面図である。パネル体２８は、横板４０と、棒状または板状の部材である第一端体４２と、棒状または板状の部材である第二端体４４とを備える。横板４０は、第一端面４０ａと第二端面４０ｂとを備える。第一端体４２は、横板４０の第一端面４０ａに設けられている。第二端体４４は、横板４０の第二端面４０ｂに設けられている。本実施形態では、第一端体４２および第二端体４４は、図１から図３に示すように、板形状を有している。
【００１６】
第一溝２４ａは、図１および図２に示すように、その長さ方向に沿って第一突起２４ｂを備える。また、第二溝２６ａも第一溝２４ａと同様に、その長さ方向に沿って第二突起２６ｂを備える。そして、第一端体４２は、第一突起２４ｂより内側で第一溝２４ａに嵌め込まれており、第二端体４４は、第二突起２６ｂより内側で第二溝２６ａに嵌め込まれている。本実施形態では、第一突起２４ｂおよび第二突起２６ｂがそれぞれ２つあるが、第一溝２４ａに第一端体４２を、第二溝２６ａに第二端体４４をそれぞれ嵌め込んで、突起の内側に収容できれば、突起は１つしかなくても、３つ以上あってもよい。
【００１７】
第一端体４２および第二端体４４は、図３（ａ）に示すように、横板４０から鉛直上方に突出している。このため、同じパネル体２８を用いてフェンス１０を構成したときに、横板４０の上下に一定間隔の隙間が形成され、光や風を採り込める。本実施形態では、第一端体４２および第二端体４４が横板４０から鉛直上方に突出しているが、第一端体４２および第二端体４４は、横板４０から鉛直方向に突出していれば、鉛直下方に突出してもよいし、鉛直上下方向に突出してもよい。
【００１８】
つぎに、フェンス１０の組立方法について説明する。まず束１６を地面に設置し、その後、根太１４を束１６上に、床板１２を根太１４上に順次固定して、ウッドデッキＷのフロア部を組み立てる。そして、第一縦枠２４が固定された支柱１８および第二縦枠２６が固定された支柱２０を、第一溝２４ａと第二溝２６ａとが向き合うように、床板１２上に設置する。さらに、第一縦枠２４と第二縦枠２６との間に、底枠３０を固定する。
【００１９】
その後、パネル体２８を、第一縦枠２４と第二縦枠２６の間に嵌め込んでいく。具体的には、図１および図２に示すように、第一端体４２を第一溝２４ａの上方から、第二端体４４を第二溝２６ａの上方からそれぞれ差し込み、停止するまでパネル体２８を下方に移動する。これを繰り返して、複数のパネル体２８を鉛直方向に積み上げていく。このとき、上下に隣り合った横板４０は、上下方向、すなわち鉛直方向に一定の間隔を形成する。
【００２０】
パネル体２８の差し込みが完了したら、支柱１８，２０上に桁２２を設置する。このように本考案によれば、フェンスが容易に設置できる。本考案の実施形態に係るフェンス１０は、図２に示すように、第一縦枠２４および第二縦枠２６と横板４０との間に隙間がある。このため、支柱１８，２０にネジ等を用いて横板４０を固定したフェンスと比べて、熱膨張によってフェンス部材が変形してフェンス１０が破損するのを抑えられる。また、本実施形態に係るフェンス１０では、図２に示すように、第一縦枠２４と第一端体４２の間、および第二縦枠２６と第二端体４４の間に隙間がある。このため、熱膨張によってフェンス部材が変形してフェンス１０が破損するのをさらに抑えられる。
【００２１】
（第二の実施形態）
図４は、本考案の第二の実施形態に係るフェンスを構成するパネル体４６の外観を示し、（ａ）はパネル体４６の正面図で、（ｂ）は（ａ）のパネル体４６をＢ−Ｂ線で切断したときの断面模式図である。本実施形態では、横板４８は、第一端体５０および第二端体５２の長さ方向に対して傾いている。このため、通風経路を確保しながら、フェンス外側から内側への視線を遮ることが可能となる。
【００２２】
以上、各実施形態に基づいて本考案のフェンスを説明したが、本考案のフェンスは上記実施形態に限定されない。図５（ａ）および（ｂ）は、他の実施形態に係る第一縦枠または第二縦枠の上面図である。縦枠６０は、パネル体の方向を変えて連結するために用いる。すなわち、溝６０ａ，６０ｃに、パネル体を装着する。縦枠６２は、パネル体を同じ方向で連結するために用いる。すなわち、溝６２ａ，６２ｃに、パネル体を装着する。
【００２３】
図６は、本考案の他の実施形態に係るフェンス７０の一部を示し、（ａ）は正面図、（ｂ）は（ａ）におけるＣ−Ｃ線断面模式図である。本実施形態では、フェンス７０は板戸７２を備える。板戸７２の中央に設けられた穴７２ａに指を入れ、板戸７２を持ち上げると、板戸７２を下方から外せる構造となっている。穴７２ａに代えて、板戸７２に突起や取手等を設けてもよい。第一端体７４および第二端体７６は、横板７８から鉛直下方に突出している。第一端体７４および第二端体７６は、第一縦枠８０および第二縦枠８２に設けられた溝に装着されている。
【００２４】
横板７８の底面には天溝７８ａが形成されている。フェンス７０は、横板７８の下方に、第一端体７４および第二端体７６に挟まれた棒状または板状の部材である底枠８４を備える。また、底枠８４の上面には、底溝８４ａが設けられている。板戸７２は、第一端体７４と第二端体７６の間で、上部が天溝７８ａに嵌め込まれ、下部が底溝８４ａに嵌め込まれている。板戸７２が嵌め込まれる底溝８４ａに代えて、板戸７２を挟む突起である底突起を底枠８４の上面に設けてもよい。
【００２５】
天溝７８ａは、板戸７２を持ち上げたときに、板戸７２が底溝８４ａや底突起から解放される深さを備えている。すなわち、本実施形態では、板戸７２が天溝７８ａと底溝８４ａに収容されている状態で、板戸７２の上面と天溝７８ａの上面（天溝７８ａの溝としての底面）との距離が、底溝８４ａの深さより長い。したがって、板戸７２を持ち上げると、板戸７２の下面が底溝８４ａから飛び出る。そして、板戸７２の下部を手前方向に引くことによって、横板７８と底枠８４の間から板戸７２を抜き出すことができる。
【００２６】
また、各実施形態では、縦枠を独立した部材として用いたが、支柱と縦枠を兼用してもよい。この場合は、支柱に溝と突起を設ける。また、第一の実施形態では、図３（ｂ）に示すように、第一端体４２および第二端体４４の中心付近で横板４０に固定したが、第一端体４２および第二端体４４の端付近で横板４０に固定してもよい。
【符号の説明】
【００２７】
１０…フェンス、  １２…床板、  １４…根太、  １６…束、  １８，２０…支柱、  ２２…桁、  ２４…第一縦枠、  ２４ａ…第一溝、  ２４ｂ…第一突起、  ２６…第二縦枠、  ２６ａ…第二溝、  ２６ｂ…第二突起、  ２８…パネル体、  ３０…底枠、  ４０…横板、  ４０ａ…第一端面、  ４０ｂ…第二端面、  ４２…第一端体、  ４４…第二端体、  ４６…パネル体、  ４８…横板、  ５０…第一端体、  ５２…第二端体、  ６０，６２…縦枠、  ６０ａ，６０ｃ，６２ａ，６２ｃ…溝、  ７０…フェンス、  ７２…板戸、  ７２ａ…穴、  ７４…第一端体、  ７６…第二端体、  ７８…横板、  ７８ａ…天溝、  ８０…第一縦枠、  ８２…第二縦枠、  ８４…底枠、  ８４ａ…底溝
【図１】
0003178079.tif 000003
【図２】
0003178079.tif 000004
【図３】
0003178079.tif 000005
【図４】
0003178079.tif 000006
【図５】
0003178079.tif 000007
【図６】
0003178079.tif 000008